(57)【特許請求の範囲】
【請求項１】
送気口と、該送気口から送気路を介して空気が吹き込まれる共鳴室と、上記送気路と共鳴室との間に形成された開口よりなる歌口とを有するホイッスルにおいて、上記歌口に上記送気路から吹き出される空気の流れを変え、高次倍音を増加させる変流体を設け、上記変流体は、上記歌口の開口縁に、上記送気路に対し上方向に延びる壁面を有することを特徴とするホイッスル。
【請求項２】
上記変流体は、上記歌口の開口後端に、上記送気路に対し上方向に延びる壁面を有することを特徴とする請求項１記載のホイッスル。
【請求項３】
上記変流体は、上記歌口の開口の左右に、上記送気路に対し上方向に延びる壁面を有することを特徴とする請求項１記載のホイッスル。
【請求項４】
上記変流体は、上記歌口の開口の後端及び左右に、上記送気路に対し上方向に延びる壁面を有することを特徴とする請求項１記載のホイッスル。
【請求項５】
上記送気口から分岐した２つの送気路と、該送気路からそれぞれ空気が吹き込まれる２つの共鳴室と、該共鳴室と上記送気路の間に形成された２つの歌口と、該歌口にそれぞれ形成された２つの上記変流体とを有し、上記各共鳴室の容積を異ならせその共鳴周波数を異ならせたことを特徴とする請求項１ないし４のいずれかに記載のホイッスル。
【発明の詳細な説明】
【０００１】
【発明の属する技術分野】
本発明は、各種スポーツ競技における審判、人の多く集まる場所での警備、誘導、合図等のために使用されるホイッスルに関する。
【０００２】
【従来の技術】
例えば、スポーツ競技においては、審判が、プレイヤーに種々の指示を行い競技をルールに従って進行させるために、ホイッスルを吹いてゲームを開始或いは中断し、またその音によりプレイヤーに指示を与え、注意を喚起する等が行われる。ホイッスルの基本原理は、送気口から吹き込まれた呼気をエッジに当て、このとき発生するエッジトーンを共鳴室で増幅して大きな音にするのである。
【０００３】
この種ホイッスルとして、例えば特開平８−２１１８８１号公報に開示の構造が知られている。この公報には、空気が吹き込まれる吹き口と、送気路となるダクトと、ダクトを介して空気が吹き込まれ共鳴する共鳴室と、ダクトと共鳴室の間に設けられ空気を外部へ排気する開口部（歌口と呼ばれる）よりなる一般的なホイッスルの構造が開示されている。この公報に開示の発明は、上記ホイッスルにおいて、共鳴室の壁面に複数の孔を開けるとともに、この孔を任意の数だけ閉鎖する閉鎖体を設け、閉鎖体の回転により、１つ又はそれ以上の孔を開放し、これにより音色を変更するものである。
【０００４】
【発明が解決しようとする課題】
上記構造のホイッスルにあっては、音色は変更できるものの、音量を増大させることはできず、大きな音を発生させようとすれば、空気を大量にかつ急速に吹き込むしかなかった。しかしながら一度に吹き込む空気の量、速さには個人差があり、肺活量の少ない人、使い慣れていない人の場合、音が小さくなってしまい、歓声等周囲の音にかき消されてしまい、聞き取りにくいという問題がある。また無理に大きな音を出したとしても、息が切れる等これを長時間続けることは殆ど不可能である。
【０００５】
本発明は、このような事情に鑑みてなされたもので、一定の吹き込み力で大きな音、高次倍音の発生による厚みのある豊かな音を発生させることのできるホイッスルを提供するものである。
【０００６】
【課題を解決するための手段】
本発明（請求項１）は、送気口と、該送気口から送気路を介して空気が吹き込まれる共鳴室と、上記送気路と共鳴室との間に形成された開口よりなる歌口とを有するホイッスルにおいて、上記歌口に上記送気路から吹き出される空気の流れを変え、高次倍音を増加させる変流体を設け、上記変流体は、上記歌口の開口縁に、上記送気路に対し上方向に延びる壁面を有するものである。かかる構成において、送気路から歌口を通って外部へ放出される空気は、変流体によりその流れが変えられ、上記のような上方向（縦方向）に延びる壁面を有する変流体を設けない構造よりも高次倍音を増加させて大きな音とする。また吹きはじめから音圧ピーク時までの時間が短縮される。
【０００７】
本発明（請求項２）は、上記変流体は、上記歌口の開口後端に、上記送気路に対し上方向に延びる壁面を有するものである。かかる構造において、変流体の壁面により呼気は変流され、高次倍音が得られる。
【０００８】
本発明（請求項３）において、上記変流体は、上記歌口の開口の左右に、上記送気路に対し上方向に延びる壁面を有するものである。かかる構造において、変流体の壁面により呼気は変流され、高次倍音が得られる。
【０００９】
本発明（請求項４）において、上記変流体は、上記歌口の開口の後端及び左右に、上記送気路に対し上方向に延びる壁面を有するものである。かかる構成において、最大限の変流作用が得られ、発生する高次倍音が増加しかつそのピーク値が最大となる。
【０００１０】
本発明（請求項５）においては、上記送気口から分岐した２つの送気路と、該送気路からそれぞれ空気が吹き込まれる２つの共鳴室と、該共鳴室と上記送気路の間に形成された２つの歌口と、該歌口にそれぞれ形成された２つの上記変流体とを有し、上記各共鳴室の容積を異ならせその共鳴周波数を異ならせたものである。かかる構成において、２つの歌口から発せられる音は、それぞれの共鳴室にて異なる周波数の音となり、これらが重ね合わされることにより人の注意を喚起しやすいビート（響き、うねり）音を生じる。
【００１１】
【発明の実施の形態】
図１、２において、ホイッスル１は、マウスピース部２と共鳴部３とからなり、樹脂にて一体形成されている。マウスピース部２には、唇が当てられ、呼気が吹き込まれる細長い矩形状の送気口４が設けられている。共鳴部３には、内部に２個の円柱形空間よりなる第１，第２共鳴室５ａ，５ｂが、送気口４を左右方向としたとき上下となるよう配置されている。７ａ，７ｂは、送気口４から分岐され第１，第２送気路６ａ，６ｂと第１，第２共鳴室５ａ，５ｂとの間に形成された開口よりなる第１，第２歌口である。８は共鳴部３の先端に形成された吊り下げ紐用の孔である。
【００１２】
９ａ，９ｂは、第１，第２歌口７ａ，７ｂの開口後端（マウスピース部２側端部）及び左右に、第１，第２送気路６ａ，６ｂに対し上方向に延びる壁面１０ａ，１０ｂを有して形成された第１，第２変流体で、それぞれ第１，第２送気路６ａ，６ｂから第１，第２歌口７ａ，７ｂを通って外部へ放出される空気の流れを変える作用をなす。第１，第２変流体９ａ，９ｂの壁面１０ａ，１０ｂは、第１，第２送気路６ａ，６ｂの吹き出し方向に対し直角に形成するのが最も好ましく、この角度関係にある場合に最も大きな変流作用が得られることを実験により確認した。しかしながら、正確に直角でなくとも実質的に直角、すなわちこれに近い角度であれば同様の作用が得られる。この角度が内側あるいは外側に直角位置から外れるにしたがって変流作用が低下する。また壁面１０ａ，１０ｂは平面であることが望ましい。この壁面１０ａ，１０ｂに突起等平面性を妨げるものがあると、耳障りな風切音等雑音が発生するからである。１１ａ，１１ｂは、第１，第２歌口７ａ，７ｂの前端（共鳴部３側端部）に形成されたエッジで、エッジトーンを発生する。エッジ１１ａ，１１ｂの位置は、第１，第２送気路６ａ，６ｂの空気吹き出し方向よりも外側に位置している。
【００１３】
次にエッジ１１によるエッジトーン発生の原理を説明する。図３は、送気路６、共鳴室５、歌口７、変流体９各１個ずつよりなるホイッスルを示し、以下の動作がなされる。
【００１４】
送気路６から吹き出された空気は、最初はそのまま直進しエッジ１１の下側を通って共鳴室５内に入り、滞留する（イ〜ハ）。この空気流を矢印ａにて示す。このとき壁面１０付近の領域Ｓにある空気が巻き込まれて移動する（矢印ｂ）。領域Ｓの空気はｂ方向へ移動しようとするが、変流体９の壁面１０が抵抗となって、送気路側及び左右からの空気の供給が妨げられ、この領域Ｓは負圧となる。
【００１５】
共鳴室５への空気の流入によりその空気圧が上昇すると、その圧力により送気路６から吹き出た空気流は第１歌口７ａにおいて上方へ押し上げられ（ニ）、空気流ａは、エッジ１１内側から外側へ切り換わる（ホ）。
【００１６】
このエッジ１１の外側への空気流ａにより、共鳴室５内の空気がこれに巻き込めれて外部へ放出され、今度は逆に共鳴室５内の空気圧が低下する。このとき、空気流ａは、負圧領域Ｓの存在により、その流路が上方向へ偏向されるから、変流体９が存在しない場合に比べて、共鳴室５内の空気の放出力が増し、共鳴室５内の負圧の程度はより大きくなる（ヘ〜チ）。この共鳴室５内が負圧になると、送気路６から吹き出された空気流ａは、再び共鳴室５内に吸引される（イ）。
【００１７】
このように、負圧領域Ｓの存在により、送気路６から吹き出された空気流ａが、エッジ１１を境として上下（共鳴室５の内外）に振れる振幅が大きくなり、高次倍音が増加し、音圧が上昇すると考えられる。エッジ１１にて発生した原音は共鳴室５にて増幅されて、報音される。この音の共鳴周波数は共鳴室５の容積によって決まり、実施形態において第１共鳴室５ａは共鳴周波数３．４ＫＨｚに、第２共鳴室５ｂは共鳴周波数３．７ＫＨｚに設定されている。
【００１８】
図４は、図３にて示したホイッスル（共鳴周波数約３．１ｋＨｚに設定）の出力音の音圧波形を示し、やや変形したサイン波を描いていることが分かる。この変形により高次倍音が発生する。図５は、かかる高次倍音の周数数信号を示す。図に示すように、変流体を有するホイッスルでは、基本周波数信号Ｐ（約３．１ｋＨｚ）のほかには、１次高次倍音ｐ１（約６．２ｋＨｚ）から４次高次倍音ｐ４（約１５．５ｋＨｚ）までの発生がみられる。高次倍音の増加は、音に広がりと厚みを持たせ、音がよく通り、また聴く人をして豊かな音として感じさせる作用がある。
【００１９】
図６，７は、参考例として従来構造のホイッスルによる発生音の波形を示し、図３に示すホイッスルの変流体９を除去した構造である。なおホイッスルは同一構造であるが、変流体を除去することによりその共鳴周波数は約３．２ｋＨｚに変わった。図６から明らかなように、音圧波形は正しいサイン波を描き、それ故高次倍音の発生は少なく、図７に示すように基本周波数信号Ｐ（約３．２ｋＨ）のほかには、１次高次倍音信号ｐ１（約６．４ｋＨｚ）とピークの低い２次高次倍音信号ｐ２（約９．６ｋＨｚ）の発生しか確認できなかった。
【００２０】
図８は、歌口７の開口後端のみに送気路に対し上方直角方向に延びる壁面を有する変流体９ｖを設けた構造を示し、図９に示すように変流体を設けない構造よりも多くかつ高い音圧の高次倍音が得られることが分かる。また図１０，１１に示すように、変流体９ｈ，９ｈを、歌口７の開口の左右のみに形成した場合も、変流体を設けない構造よりも多くかつ高い音圧の高次倍音が得られることが分かる。
【００２１】
図１２は送気口４から空気を吹き込んだ場合における動力−音圧特性曲線を示し、曲線Ｂは変流体を有しない単管（１つの共鳴室）ホイッスルの発生音、曲線Ａは曲線Ｂのホイッスルと同一構造であって変流体を付加したホイッスルの発生音である。ここで後者の最大音圧は１２４ｄＢ／ｍ、前者の最大音圧は１１８．３ｄＢ／ｍであった。また歌口の後端のみに変流体を形成した構造（図８）では、１２０．５ｄＢ／ｍ、歌口の左右のみに変流体を形成した構造（図１０）では１２３．３ｄＢ／ｍであった。ここで動力とは人間の呼気に模して、コンプレッサーから吹き出された空気で、風圧及び風速を制御したものであり、その単位はＷ（ワット）で表される。通常、人がある程度の強さをもって息を吹き出した場合の動力は約１０〜１５Ｗの範囲であり、この範囲では、Ａ，Ｂ音圧特性間には約３〜６ｄＢ／ｍの差があり、この差は、人が聞いてはっきりと分かる程度の大きさである。なお約５Ｗ以下の範囲は、極めて弱く吹いた場合であり、音も小さく、実際にはこの範囲では使用されない。
【００２２】
図１３（イ）〜（ニ）は、変流体９（図３）の送気路に対し上方直角方向に延びる壁面の高さを変更した場合（変流体の左右壁面も高さに応じて存在）における高次倍音の数及びその音圧の大きさを示し、図（イ）では高さ２ｍｍ（この高さ２ｍｍは送気路上壁の厚さであり変流体がない従来構造に対応する）、図（ロ）は高さ７ｍｍ、図（ハ）は高さ９．５ｍｍ、図（ニ）は高さ１２ｍｍの場合である。図から分かるようにこの変流体の高さを大きくするにしたがって高次倍音の音圧が上昇する。実験では高さ１２ｍｍ程度までは音圧の上昇が見られたが、これ以上高くしても音圧の顕著な上昇は確認できなかった。またこの変流体を高くすると、これが鼻の前面を塞ぐ結果、呼吸しにくくなり実用的ではない。それ故この変流体の高さは約１２ｍｍ程度（送気路上面からの高さで約１０ｍｍ程度）が上限である。なお図（イ）〜（ニ）に対応するホイッスルの音圧及び周波数は（１１８．３ｄＢ／ｍ，３．２３ＫＨｚ）（１２０．９ｄＢ／ｍ，３．１１ＫＨｚ）（１２２．２ｄＢ／ｍ，３．０９ＫＨｚ）（１２４．０ｄＢ／ｍ，３．０６ＫＨｚ）であった。
【００２３】
図１４は、図１，２に示す実施形態にかかるホイッスル１の第１，第２共鳴室５ａ，５ｂの各周波数ｅ（３．４ｋＨｚ），ｆ（３．７ｋＨｚ）及び両者の合成周波数ｅ＋ｆの拡大波形図を示す。図１５は、図１４に対応する波形図（時間間隔を圧縮）であり、第１，第２共鳴室５ａ，５ｂの各周波数ｅ，ｆ及び合成音ｅ＋ｆの具体例を示す。合成音ｅ＋ｆは、周波数ｅ，ｆの周波数差０．３ｋＨｚのビート音となる。図に示すように、共鳴室５ａ，５ｂの各々が単独で発する音の波形は、その振幅が一定であり、単調な音となり、人の注意を喚起する効果は小さい。これに対し、図１５に示すように、２個の異なる周波数を有する波形を合成すると、両者干渉して、その周波数差に対応するビート音を発し、これが人の耳に快く響き、注意を喚起すべく作用する。また、異なる周波数の音の周波数差が、０．１〜０．４ｋＨｚの範囲内にある場合、音質の近い音の重なりとなって、違和感のない耳に心地よい音となるので好ましい。これに対し、周波数差が、上記範囲を越えて大きい場合、元の音とは異質な音となり、不快な音と感じることが多い。また両者の差が、０．１ｋＨｚに満たない場合、ビート音効果が殆ど生じないために単調音に近くなるという問題がある。
【００２４】
図１６（Ａ）（Ｂ）は、２種のホイッスルにおける吹きはじめから音圧が最大になるまでの時間を示し、図（Ａ）は、図３〜５において説明した変流体を有するホイッスルの発生音、図（Ｂ）は図６，７において説明した変流体を有さない従来構造のホイッスルの発生音の出力波形である。吹きはじめてから音圧が最高になるまでの時間は、図（Ａ）が３．４ミリ秒、図（Ｂ）が６．３ミリ秒であり、変流体を設けると、応答速度を速くする作用が得られることが分かる。両者の差２．９ミリ秒は、人がその応答速度の違いを明確に認識することができる程度の時間間隔である。なおコルクを填入した従来の典型的な笛では、吹きはじめから最大音圧に達するまでの時間は、７．２ミリ秒であり、実際に、スピーディーにゲームが進行するバスケットボール競技等の審判においては、一般的なコルク笛は応答速度が遅いために使用されていない。上記実施形態にかかるホイッスルは、バスケットボール競技等において反則等を間髪を入れずに報知し、素早く選手に指示を与える場合に十分に対応できる。
【００２５】
【発明の効果】
本発明（請求項１）によれば、歌口に送気路から吹き出される空気の流れを変え高次倍音の発生を増加させるべく上方向（縦方向）に延びる壁面を有する変流体を設けたものであるから、基本周波数音に高次倍音を加えた厚みのあるよく通る音となり、騒音の中でも人にその音にて確実に報知することができる。また本発明によれば、上記変流体の存在により、吹き始めからピークに達するまでの時間が短縮され、呼気と殆ど同時に報知することができ、スピディーなゲーム進行が期待されるバスケットボール競技等、ゲームの審判が使用して好適なホイッスルが実現される。さらにスポーツ競技に限らず、人が多数集まる場所での警備、誘導等のためのホイッスルとしても高い機能を有する。
【００２６】
本発明（請求項２，３，４）によれば、変流体が、歌口の開口後端またはその左右に、さらにその両方に送気路に対し上方向に延びる壁面を有するよう構成されているから、大きな変流作用が得られ、高次倍音を増加させ、かつその音圧を上昇させることができる。かかる高次倍音を多数含む音は、音に厚みと広がりを付与し、騒音の中でもよく通る音となり、かつ聴く人に豊かな音と感じさせる効果がある。
【００２７】
本発明（請求項５）によれば、２つの共鳴室の容積を異ならせその共鳴周波数を異ならせたものであるから、２つの歌口から発せられる音は、それぞれの共鳴室にて異なる周波数の音となり、これらが重ね合わされることにより耳に心地よくかつ注意喚起力を有するビート音を得ることができる。
【図面の簡単な説明】
【図１】本発明実施の形態に係るホイッスルの斜視図である。
【図２】図１のII−II線断面図である。
【図３】音の発生原理を説明するための概略図である。
【図４】音圧波形図である。
【図５】高次倍音の発生を示す周波数信号特性図である。
【図６】従来構造のホイッスルの音圧波形図である。
【図７】従来構造のホイッスルの高次倍音の発生を示す周波数信号特性図である。
【図８】歌口の開口後端に、送気路に対し上方向に延びる変流体を有するホイッスルの斜視図である。
【図９】図８に示す構造のホイッスルの高次倍音を示す特性図である。
【図１０】歌口の開口の左右に、送気路に対し上方向に延びる変流体を有するホイッスルの高次倍音を示す特性図である。
【図１１】図１０に示す構造のホイッスルの高次倍音を示す特性図である。
【図１２】動力−音圧特性曲線図である。
【図１３】変流体の高さを変えた場合における高次倍音発生特性図である。
【図１４】第１，第２共鳴室５ａ，５ｂで発生する周波数ｅ，ｆ及びその合成周波数ｅ＋ｆを示す波形図である。
【図１５】図１４の時間間隔を長時間とした場合の波形図である。
【図１６】ホイッスルの吹きはじめからピークに達するまでの波形図である。
【符号の説明】
１ ホイッスル
２ マウスピース部
３ 共鳴部
４ 送気口
５，５ａ，５ｂ  第１，第２共鳴室
６，６ａ，６ｂ  第１，第２送気路
７，７ａ，７ｂ  第１，第２歌口
９，９ａ，９ｂ  第１，第２変流体
１０，１０ａ，１０ｂ  第１，第２壁面
１１，１１ａ，１１ｂ  第１，第２エッジ
【図１】
0003563046.tif 000002
【図２】
0003563046.tif 000003
【図３】
0003563046.tif 000004
【図４】
0003563046.tif 000005
【図５】
0003563046.tif 000006
【図６】
0003563046.tif 000007
【図７】
0003563046.tif 000008
【図８】
0003563046.tif 000009
【図９】
0003563046.tif 000010
【図１０】
0003563046.tif 000011
【図１１】
0003563046.tif 000012
【図１２】
0003563046.tif 000013
【図１３】
0003563046.tif 000014
【図１４】
0003563046.tif 000015
【図１５】
0003563046.tif 000016
【図１６】
0003563046.tif 000017